【手続補正書】
【提出日】平成18年11月24日(2006.11.24)
【手続補正１】
【補正対象書類名】明細書
【補正対象項目名】特許請求の範囲
【補正方法】変更
【補正の内容】
【特許請求の範囲】
【請求項１】  遊技者が所定の遊技を実行可能であり、所定の遊技の結果として特定結果が得られたときに遊技者にとって有利な特定遊技状態とする遊技機であって、
各々が識別可能な複数種類の識別情報の可変表示を行うとともに遊技演出に用いられる画像を表示する画像表示装置と、
動き補償予測符号化による圧縮データを含む動画像データを格納する圧縮データ格納手段と、
前記圧縮データ格納手段に格納されている動画像データから画像データを復号して、所定の格納領域にフレーム単位で格納するデータ伸張手段と、
前記画像表示装置における前記識別情報の可変表示の制御を行う可変表示制御手段と、
前記データ伸張手段によって所定の格納領域に格納された画像データを用いて、フレーム毎に画像を前記画像表示装置に順次表示させることによって動画再生を行うデータ再生手段と、
前記識別情報の表示態様がリーチ態様となったときに実行されるリーチ演出として、第１のリーチ区間演出を実行した後に第２のリーチ区間演出を実行することで演出内容が段階的に発展するリーチ演出を実行するリーチ演出実行手段とを備え、
前記リーチ演出実行手段は、
前記第２のリーチ区間演出として所定のキャラクタが可変表示中の識別情報に作用する動画像演出を行う第２リーチ区間演出実行手段と、
前記第１のリーチ区間演出から前記第２のリーチ区間演出への切替表示を実行する手段であり、前記データ再生手段によって前記第２のリーチ区間演出における動画像の再生が開始されるときに、動画像の最初のフレームの画像が徐々にはっきりと表示されていくフェードイン表示を行った後、前記データ再生手段に前記キャラクタの動画像の再生を行わせるフェードイン切替表示手段とを含み、
前記第２リーチ区間演出実行手段は、
前記データ再生手段に前記キャラクタが所定の動作を行う動画像を再生させる動画再生制御手段と、
前記動画再生制御手段による前記動画像の再生と前記可変表示制御手段による識別情報の可変表示とを同期して実行させる同期制御手段とを含み、
前記フェードイン切替表示手段は、
前記フェードイン表示を行うときに、前記データ伸張手段によって所定の格納領域に格納されている新たなフレームの画像データを用いた画像の表示を、前記データ再生手段に停止させる画像表示停止手段と、
前記画像表示停止手段によって新たな画像データを用いた画像の表示が停止された後、所定の格納領域に格納された最初のフレームの画像データを用いて複数のフェードイン画像を作成するフェードイン画像作成手段と、
前記複数のフェードイン画像を順次表示して、前記フェードイン表示を行うフェードイン表示手段と、
前記フェードイン表示手段によるフェードイン表示が完了したあと、前記画像表示停止手段に停止させられた新たなフレームの画像データを用いた画像の表示を前記データ再生手段に開始させて、前記データ再生手段に前記動画像の動画再生を行わせる動画再生開始手段とを含む
ことを特徴とする遊技機。
【請求項２】  遊技者が所定の遊技を実行可能であり、所定の遊技の結果として特定結果が得られたときに遊技者にとって有利な特定遊技状態とする遊技機であって、
各々が識別可能な複数種類の識別情報の可変表示を行うとともに遊技演出に用いられる画像を表示する画像表示装置と、
動き補償予測符号化による圧縮データを含む動画像データを格納する圧縮データ格納手段と、
前記圧縮データ格納手段に格納されている動画像データから画像データを復号して、所定の格納領域にフレーム単位で格納するデータ伸張手段と、
前記画像表示装置における前記識別情報の可変表示の制御を行う可変表示制御手段と、
前記データ伸張手段によって所定の格納領域に格納された画像データを用いて、フレーム毎に画像を前記画像表示装置に順次表示させることによって動画再生を行うデータ再生手段と、
前記識別情報の表示態様がリーチ態様となったときにリーチ演出を実行するリーチ演出実行手段とを備え、
前記リーチ演出実行手段は、
前記リーチ演出として所定のキャラクタが可変表示中の識別情報に作用する動画像演出を行う動画像演出実行手段と、
前記動画像演出実行手段による前記リーチ演出における動画像の再生が終了した後、該動画像の最後のフレームの画像が徐々に消失していくフェードアウト表示を行わせるフェードアウト切替表示手段とを含み、
前記動画像演出実行手段は、
前記データ再生手段に前記キャラクタが所定の動作を行う動画像を再生させる動画再生制御手段と、
前記動画再生制御手段による前記動画像の再生と前記可変表示制御手段による識別情報の可変表示とを同期して実行させる同期制御手段とを含み、
前記フェードアウト切替表示手段は、
前記フェードアウト表示を行うときに、所定の格納領域に格納された最後のフレームの画像データを保持する画像保持手段と、
前記画像保持手段が保持する所定の格納領域に格納された最後のフレームの画像データを用いて複数のフェードアウト画像を作成するフェードアウト画像作成手段と、
前記複数のフェードアウト画像を順次表示して、前記フェードアウト表示を行うフェードアウト表示手段とを含む
ことを特徴とする遊技機。
【手続補正２】
【補正対象書類名】明細書
【補正対象項目名】００１３
【補正方法】変更
【補正の内容】
【００１３】
【課題を解決するための手段】
本発明による遊技機は、遊技者が所定の遊技を実行可能であり、所定の遊技の結果として特定結果が得られたときに遊技者にとって有利な特定遊技状態（例えば、大当り遊技状態）とする遊技機であって、各々が識別可能な複数種類の識別情報の可変表示を行うとともに遊技演出に用いられる画像を表示する画像表示装置（例えば可変表示装置６、画像表示装置５４０）と、動き補償予測符号化による圧縮データを含む動画像データを格納する圧縮データ格納手段（例えばＣＧＲＯＭ８３）と、圧縮データ格納手段に格納されている動画像データから画像データを復号して、所定の格納領域にフレーム単位で格納するデータ伸張手段（例えば動画圧縮・伸張部８９）と、画像表示装置における識別情報の可変表示の制御を行う可変表示制御手段と、データ伸張手段によって所定の格納領域に格納された画像データを用いて、フレーム毎に画像を画像表示装置に順次表示させることによって動画再生を行うデータ再生手段と、識別情報の表示態様がリーチ態様となったときに実行されるリーチ演出として、第１のリーチ区間演出を実行した後に第２のリーチ区間演出を実行することで演出内容が段階的に発展するリーチ演出（例えばリーチ演出３）を実行するリーチ演出実行手段（例えば演出制御用ＣＰＵ１０１における図柄変動中処理を実行する部分や、ＧＣＬ８１における図柄変動中処理でコールされたことにもとづいて図１４に示す動画再生処理などを実行する部分）とを備え、リーチ演出実行手段は、第２のリーチ区間演出として所定のキャラクタが可変表示中の識別情報に作用する動画像演出を行う第２リーチ区間演出実行手段と、第１のリーチ区間演出から第２のリーチ区間演出への切替表示を実行する手段であり、データ再生手段によって第２のリーチ区間演出における動画像の再生が開始されるときに、動画像の最初のフレームの画像が徐々にはっきりと表示されていくフェードイン表示を行った後、データ再生手段にキャラクタの動画像の再生を行わせるフェードイン切替表示手段（例えばＧＣＬ８１におけるステップＳ２２２のフェードイン処理を実行する部分）とを含み、第２リーチ区間演出実行手段は、データ再生手段にキャラクタが所定の動作を行う動画像を再生させる動画再生制御手段と、動画再生制御手段による動画像の再生と可変表示制御手段による識別情報の可変表示とを同期して実行させる同期制御手段とを含み、フェードイン切替表示手段が、フェードイン表示を行うときに、データ伸張手段によって所定の格納領域に格納されている新たなフレームの画像データを用いた画像の表示を、データ再生手段に停止させる画像表示停止手段と、画像表示停止手段によって新たな画像データを用いた画像の表示が停止された後、所定の格納領域に格納された最初のフレームの画像データを用いて複数のフェードイン画像を作成するフェードイン画像作成手段と、複数のフェードイン画像を順次表示して、フェードイン表示を行うフェードイン表示手段と、フェードイン表示手段によるフェードイン表示が完了したあと、画像表示停止手段に停止させられた新たなフレームの画像データを用いた画像の表示をデータ再生手段に開始させて、データ再生手段に動画像の動画再生を行わせる動画再生開始手段（例えば演出制御用ＣＰＵ１０１におけるステップＳ２３７を実行する部分）とを含む構成とされていてもよい。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
本発明による遊技機は、遊技者が所定の遊技を実行可能であり、所定の遊技の結果として特定結果が得られたときに遊技者にとって有利な特定遊技状態（例えば、大当り遊技状態）とする遊技機であって、各々が識別可能な複数種類の識別情報の可変表示を行うとともに遊技演出に用いられる画像を表示する画像表示装置（例えば可変表示装置６、画像表示装置５４０）と、動き補償予測符号化による圧縮データを含む動画像データを格納する圧縮データ格納手段（例えばＣＧＲＯＭ８３）と、圧縮データ格納手段に格納されている動画像データから画像データを復号して、所定の格納領域にフレーム単位で格納するデータ伸張手段（例えば動画圧縮・伸張部８９）と、画像表示装置における識別情報の可変表示の制御を行う可変表示制御手段と、データ伸張手段によって所定の格納領域に格納された画像データを用いて、フレーム毎に画像を画像表示装置に順次表示させることによって動画再生を行うデータ再生手段と、識別情報の表示態様がリーチ態様となったときにリーチ演出（例えばリーチ演出３）を実行するリーチ演出実行手段（例えば演出制御用ＣＰＵ１０１における図柄変動中処理を実行する部分）とを備え、リーチ演出実行手段は、リーチ演出として所定のキャラクタが可変表示中の識別情報に作用する動画像演出を行う動画像演出実行手段と、動画像演出実行手段によるリーチ演出における動画像の再生が終了した後、該動画像の最後のフレームの画像が徐々に消失していくフェードアウト表示を行わせるフェードアウト切替表示手段（例えば演出制御用ＣＰＵ１０１におけるステップＳ２２４のフェードアウト処理を実行する部分）とを含み、動画像演出実行手段は、データ再生手段にキャラクタが所定の動作を行う動画像を再生させる動画再生制御手段と、動画再生制御手段による動画像の再生と可変表示制御手段による識別情報の可変表示とを同期して実行させる同期制御手段とを含み、フェードアウト切替表示手段が、フェードアウト表示を行うときに、所定の格納領域に格納された最後のフレームの画像データを保持する画像保持手段と、画像保持手段が保持する所定の格納領域に格納された最後のフレームの画像データを用いて複数のフェードアウト画像を作成するフェードアウト画像作成手段と、複数のフェードアウト画像を順次表示して、フェードアウト表示を行うフェードアウト表示手段とを含む構成とされていてもよい。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】０２０３
【補正方法】変更
【補正の内容】
【０２０３】
【発明の効果】
以上のように、請求項１記載の発明では、リーチ演出実行手段は、第２のリーチ区間演出として所定のキャラクタが可変表示中の識別情報に作用する動画像演出を行う第２リーチ区間演出実行手段と、第１のリーチ区間演出から第２のリーチ区間演出への切替表示を実行する手段であり、データ再生手段によって第２のリーチ区間演出における動画像の再生が開始されるときに、動画像の最初のフレームの画像が徐々にはっきりと表示されていくフェードイン表示を行った後、データ再生手段にキャラクタの動画像の再生を行わせるフェードイン切替表示手段とを含み、第２リーチ区間演出実行手段は、データ再生手段にキャラクタが所定の動作を行う動画像を再生させる動画再生制御手段と、動画再生制御手段による動画像の再生と可変表示制御手段による識別情報の可変表示とを同期して実行させる同期制御手段とを含み、フェードイン切替表示手段が、フェードイン表示を行うときに、データ伸張手段によって所定の格納領域に格納されている新たなフレームの画像データを用いた画像の表示を、データ再生手段に停止させる画像表示停止手段と、画像表示停止手段によって新たな画像データを用いた画像の表示が停止された後、所定の格納領域に格納された最初のフレームの画像データを用いて複数のフェードイン画像を作成するフェードイン画像作成手段と、複数のフェードイン画像を順次表示して、フェードイン表示を行うフェードイン表示手段と、フェードイン表示手段によるフェードイン表示が完了したあと、画像表示停止手段に停止させられた新たなフレームの画像データを用いた画像の表示をデータ再生手段に開始させて、データ再生手段に動画像の動画再生を行わせる動画再生開始手段とを含むので、圧縮データを含む動画像データを用いた動画再生のための制御負担を軽減することができるとともに、動画像データのデータ量を増大させることなく、リーチ区間演出の切替にてフェードイン表示を行うことができる。よって、動画像データの格納領域の必要容量を抑えることができる。
【手続補正１１】
【補正対象書類名】明細書
【補正対象項目名】０２０４
【補正方法】削除
【補正の内容】
【手続補正１２】
【補正対象書類名】明細書
【補正対象項目名】０２０５
【補正方法】変更
【補正の内容】
【０２０５】
また、請求項２記載の発明では、リーチ演出実行手段が、リーチ演出として所定のキャラクタが可変表示中の識別情報に作用する動画像演出を行う動画像演出実行手段と、動画像演出実行手段によるリーチ演出における動画像の再生が終了した後、該動画像の最後のフレームの画像が徐々に消失していくフェードアウト表示を行わせるフェードアウト切替表示手段とを含み、動画像演出実行手段は、データ再生手段にキャラクタが所定の動作を行う動画像を再生させる動画再生制御手段と、動画再生制御手段による動画像の再生と可変表示制御手段による識別情報の可変表示とを同期して実行させる同期制御手段とを含み、フェードアウト切替表示手段は、フェードアウト表示を行うときに、所定の格納領域に格納された最後のフレームの画像データを保持する画像保持手段と、画像保持手段が保持する所定の格納領域に格納された最後のフレームの画像データを用いて複数のフェードアウト画像を作成するフェードアウト画像作成手段と、複数のフェードアウト画像を順次表示して、フェードアウト表示を行うフェードアウト表示手段とを含むので、圧縮データを含む動画像データを用いた動画再生のための制御負担を軽減することができるとともに、動画像データのデータ量を増大させることなく、リーチ区間演出の最終段階にてフェードアウト表示を行うことができる。よって、動画像データの格納領域の必要容量を抑えることができる。
【手続補正１３】
【補正対象書類名】明細書
【補正対象項目名】０２０６
【補正方法】削除
【補正の内容】
【手続補正１４】
【補正対象書類名】明細書
【補正対象項目名】０２０７
【補正方法】削除
【補正の内容】
【手続補正１５】
【補正対象書類名】明細書
【補正対象項目名】０２０８
【補正方法】削除
【補正の内容】
【手続補正１６】
【補正対象書類名】明細書
【補正対象項目名】０２０９
【補正方法】削除
【補正の内容】
【手続補正１７】
【補正対象書類名】明細書
【補正対象項目名】０２１０
【補正方法】削除
【補正の内容】